(57)【要約】      （修正有）【課題】クーポンを使いやすくできる端末装置、表示方法およびプログラムを提供する。【解決手段】情報処理システムにおいて、端末装置１０は、ユーザから、訪問予定場所と訪問予定期間とを含む第１予定情報を取得する第１取得部５０と、訪問予定場所内または訪問予定場所の周辺の施設の情報と、当該施設で利用可能なクーポンの情報とを含むリコメンド情報を１以上取得する第２取得部５２と、ユーザから、リコメンド情報のいずれかに含まれる施設の情報と、当該施設の訪問予定期間とを含む第２予定情報を取得する第３取得部５４と、第１予定情報と第２予定情報とを含むスケジュール表を表示部３８に表示させる表示制御部５６と、を備える。表示制御部５６は、スケジュール表の第２予定情報の選択操作に応じて、当該第２予定情報の施設のクーポンを表示部３８に表示する。【選択図】図２
2020042352.tif 000002
【特許請求の範囲】
【請求項１】
ユーザから、訪問予定場所と訪問予定期間とを含む第１予定情報を取得する第１取得部と、
前記訪問予定場所内または前記訪問予定場所の周辺の施設の情報と、当該施設で利用可能なクーポンの情報とを含むリコメンド情報を１以上取得する第２取得部と、
前記ユーザから、前記リコメンド情報のいずれかに含まれる前記施設の情報と、当該施設の訪問予定期間とを含む第２予定情報を取得する第３取得部と、
前記第１予定情報と前記第２予定情報とを含むスケジュール表を表示部に表示させる表示制御部と、を備え、
前記表示制御部は、前記スケジュール表の前記第２予定情報の選択操作に応じて、当該第２予定情報の前記施設の前記クーポンを前記表示部に表示させることを特徴とする端末装置。
【請求項２】
前記表示制御部が前記クーポンを前記表示部に表示させた場合、当該クーポンが表示されたことを示す情報をサーバ装置に提供する第１提供部を備えることを特徴とする請求項１に記載の端末装置。
【請求項３】
前記第３取得部が前記第２予定情報を取得した場合、当該第２予定情報の前記施設の訪問予定期間の始点の情報を当該施設の端末装置に提供する第２提供部を備えることを特徴とする請求項１または２に記載の端末装置。
【請求項４】
前記第２予定情報の訪問予定期間が前記第１予定情報の訪問予定期間内である場合、前記表示制御部は、前記第１予定情報を表す第１画像に前記第２予定情報を表す第２画像が重なるように前記表示部に表示させることを特徴とする請求項１から３のいずれかに記載の端末装置。
【請求項５】
ユーザから、訪問予定場所と訪問予定期間とを含む第１予定情報を取得するステップと、
前記訪問予定場所内または前記訪問予定場所の周辺の施設の情報と、当該施設で利用可能なクーポンの情報とを含むリコメンド情報を１以上取得するステップと、
前記ユーザから、前記リコメンド情報のいずれかに含まれる前記施設の情報と、当該施設の訪問予定期間とを含む第２予定情報を取得するステップと、
前記第１予定情報と前記第２予定情報とを含むスケジュール表を表示部に表示させるステップと、
前記スケジュール表の前記第２予定情報の選択操作に応じて、当該第２予定情報の前記施設の前記クーポンを前記表示部に表示させるステップと、
を備えることを特徴とする表示方法。
【請求項６】
ユーザから、訪問予定場所と訪問予定期間とを含む第１予定情報を取得するステップと、
前記訪問予定場所内または前記訪問予定場所の周辺の施設の情報と、当該施設で利用可能なクーポンの情報とを含むリコメンド情報を１以上取得するステップと、
前記ユーザから、前記リコメンド情報のいずれかに含まれる前記施設の情報と、当該施設の訪問予定期間とを含む第２予定情報を取得するステップと、
前記第１予定情報と前記第２予定情報とを含むスケジュール表を表示部に表示させるステップと、
前記スケジュール表の前記第２予定情報の選択操作に応じて、当該第２予定情報の前記施設の前記クーポンを前記表示部に表示させるステップと、
をコンピュータに実行させることを特徴とするプログラム。
【発明の詳細な説明】
【技術分野】
【０００１】
本発明は、電子的なクーポンを表示する技術に関する。
【背景技術】
【０００２】
近年、スマートフォンなどに表示させたクーポンを提示することで、サービスの提供を受けられる施設が増えている。特許文献１は、ユーザの端末装置から目的地を示す情報を受信し、目的地までの移動経路を含む経路情報を作成し、目的地に関連する立ち寄りスポットを抽出し、抽出された立ち寄りスポットを端末装置に送信するサーバを開示している。サーバは、立ち寄りスポットにおいて利用可能なクーポンを検索して、このクーポンを端末装置に送信する。
【先行技術文献】
【特許文献】
【０００３】
【特許文献１】特開２０１８−４９３３６号公報
【発明の概要】
【発明が解決しようとする課題】
【０００４】
特許文献１には、施設においてユーザが端末装置を用いてクーポンをどのように利用するか開示されていない。たとえば端末装置に複数のクーポンが保持されている場合、利用すべきクーポンを探すことが煩わしい可能性がある。クーポンを使いやすくすることが望まれる。
【０００５】
本発明はこうした状況に鑑みてなされたものであり、その目的は、クーポンを使いやすくできる端末装置、表示方法およびプログラムを提供することにある。
【課題を解決するための手段】
【０００６】
上記課題を解決するために、本発明のある態様の端末装置は、ユーザから、訪問予定場所と訪問予定期間とを含む第１予定情報を取得する第１取得部と、前記訪問予定場所内または前記訪問予定場所の周辺の施設の情報と、当該施設で利用可能なクーポンの情報とを含むリコメンド情報を１以上取得する第２取得部と、前記ユーザから、前記リコメンド情報のいずれかに含まれる前記施設の情報と、当該施設の訪問予定期間とを含む第２予定情報を取得する第３取得部と、前記第１予定情報と前記第２予定情報とを含むスケジュール表を表示部に表示させる表示制御部と、を備える。前記表示制御部は、前記スケジュール表の前記第２予定情報の選択操作に応じて、当該第２予定情報の前記施設の前記クーポンを前記表示部に表示させる。
【０００７】
この態様によると、スケジュール表の第２予定情報の選択操作に応じて第２予定情報の施設のクーポンを表示させるので、クーポンを使いやすくできる。
【０００８】
前記端末装置は、前記表示制御部が前記クーポンを前記表示部に表示させた場合、当該クーポンが表示されたことを示す情報をサーバ装置に提供する第１提供部を備えてもよい。
【０００９】
前記端末装置は、前記第３取得部が前記第２予定情報を取得した場合、当該第２予定情報の前記施設の訪問予定期間の始点の情報を当該施設の端末装置に提供する第２提供部を備えてもよい。
【００１０】
前記第２予定情報の訪問予定期間が前記第１予定情報の訪問予定期間内である場合、前記表示制御部は、前記第１予定情報を表す第１画像に前記第２予定情報を表す第２画像が重なるように前記表示部に表示させてもよい。
【００１１】
本発明の別の態様は、表示方法である。この方法は、ユーザから、訪問予定場所と訪問予定期間とを含む第１予定情報を取得するステップと、前記訪問予定場所内または前記訪問予定場所の周辺の施設の情報と、当該施設で利用可能なクーポンの情報とを含むリコメンド情報を１以上取得するステップと、前記ユーザから、前記リコメンド情報のいずれかに含まれる前記施設の情報と、当該施設の訪問予定期間とを含む第２予定情報を取得するステップと、前記第１予定情報と前記第２予定情報とを含むスケジュール表を表示部に表示させるステップと、前記スケジュール表の前記第２予定情報の選択操作に応じて、当該第２予定情報の前記施設の前記クーポンを前記表示部に表示させるステップと、を備える。
【発明の効果】
【００１２】
本発明によれば、端末装置においてクーポンを使いやすくできる。
【図面の簡単な説明】
【００１３】
【図１】実施の形態に係る情報処理システムの構成を示すブロック図である。
【図２】図１の端末装置の構成を示すブロック図である。
【図３】図１のサーバ装置の構成を示すブロック図である。
【図４】図２の端末装置の表示部に表示されたスケジュール表の一例を示す図である。
【図５】図４のスケジュール表においてリコメンドアイコンが表示された一例を示す図である。
【図６】図５のリコメンドアイコンがタップされた場合に表示されるリコメンド情報のリストの一例を示す図である。
【図７】図５のスケジュール表において第２予定情報が登録された一例を示す図である。
【図８】表示部に表示されたクーポンの一例を示す図である。
【図９】リコメンドアイコンが表示されたスケジュール表の別の例を示す図である。
【図１０】図９のスケジュール表において第２予定情報が登録された例を示す図である。
【図１１】図２の端末装置における処理部の処理を示すフローチャートである。
【発明を実施するための形態】
【００１４】
図１は、実施の形態に係る情報処理システム１の構成を示すブロック図である。情報処理システム１は、ユーザのスケジュールを管理するスケジュール管理システムと呼ぶこともできる。情報処理システム１は、スケジュールに登録された訪問予定場所内または訪問予定場所付近の店舗などの施設のクーポンの情報をユーザに提供する機能も有する。情報処理システム１は、それぞれ異なるユーザに利用される複数の端末装置１０と、それぞれ異なる施設に設置される複数の端末装置１２と、サーバ装置２０とを備える。
【００１５】
端末装置１０は、たとえばユーザに携帯されるスマートフォン、携帯電話、タブレット端末などの携帯機器である。端末装置１０は、無線通信機能を有し、無線基地局や無線アクセスポイントを介してネットワーク１４に接続する。端末装置１２は、たとえば施設の従業員などに利用されるパーソナルコンピュータなどである。端末装置１２は、無線通信または有線通信でネットワーク１４に接続する。ネットワーク１４にはサーバ装置２０が接続されており、サーバ装置２０は端末装置１０および端末装置１２とネットワーク１４経由で通信を行う。端末装置１０とサーバ装置２０との間の通信は、ユーザＩＤなどのユーザを識別するための情報を用いて実行される。無線通信の規格は特に限定されないが、例えば、３Ｇ（第３世代移動通信システム）、４Ｇ（第４世代移動通信システム）または５Ｇ（第５世代移動通信システム）を含む。サーバ装置２０は、例えばデータセンターに設置され、端末装置１０から送信された情報をもとに端末装置１０にコンテンツ情報を提供するコンテンツプロバイダとして機能する。コンテンツ情報は、施設の情報、当該施設のクーポンの情報を含む。
【００１６】
図２は、図１の端末装置１０の構成を示すブロック図である。端末装置１０は、通信部３０と、処理部３２と、記憶部３４と、受付部３６と、表示部３８と、ＧＰＳ受信部４０とを備える。処理部３２は、第１取得部５０と、第２取得部５２と、第３取得部５４と、表示制御部５６と、第１提供部５８と、第２提供部６０とを備える。
【００１７】
処理部３２の構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００１８】
受付部３６は、ユーザから第１予定情報の入力を受け付ける。第１予定情報は、予定内容と、訪問予定場所と、訪問予定場所の訪問予定期間とを含む。訪問予定期間の始点は、予定日時であり、訪問予定期間の終点は、予定の終了日時である。ユーザは、これらの情報を表示部３８に表示されたスケジュール表に入力することが想定される。
【００１９】
受付部３６は、ユーザから移動予定の作成指示も受け付ける。移動予定の作成指示は、出発地と、目的地と、出発地の出発予定日時または目的地への到着予定日時とを含む。
【００２０】
第１取得部５０は、受付部３６が受け付けた第１予定情報と移動予定の作成指示とを取得し、取得した第１予定情報と移動予定の作成指示とを通信部３０を介してサーバ装置２０へ送信する。第１取得部５０は、第１予定情報を記憶部３４に記憶する。
【００２１】
図３は、図１のサーバ装置２０の構成を示すブロック図である。サーバ装置２０は、通信部７０と、処理部７２と、記憶部７４とを備える。通信部７０は、端末装置１０から第１予定情報と移動予定の作成指示を受信し、受信した第１予定情報等を処理部７２へ出力する。
【００２２】
処理部７２は、第１予定情報を記憶部７４に記憶する。処理部７２は、移動予定の作成指示にもとづいて出発地から目的地までの移動予定情報を取得する。具体的には処理部７２は、出発予定日時に出発地を出発するように、または、到着予定日時までに目的地に到着するように、移動手段、出発地の出発予定日時、目的地への到着予定日時、出発地から目的地までの移動経路、および、移動に要する料金を決定する。移動手段は、自動車、電車、バス、徒歩などを含む。
【００２３】
処理部７２は、たとえば最短の移動時間となる移動手段、移動経路などを決定する。移動手段、移動経路などの決定には、周知の技術を用いることができる。処理部７２は、決定された移動手段、出発予定日時、到着予定日時、移動経路および料金を移動予定情報として取得する。処理部７２は、取得した移動予定情報を記憶部７４に記憶するとともに通信部７０へ出力する。通信部７０は、移動予定情報を端末装置１０へ送信する。
【００２４】
図２の端末装置１０では、通信部３０は、通信部７０から送信された移動予定情報を受信し、受信した移動予定情報を記憶部３４に記憶するとともに表示制御部５６に出力する。表示制御部５６は、ユーザが入力した第１予定情報に加え、移動予定情報も含むスケジュール表を表示部３８に表示させる。
【００２５】
図４は、図２の端末装置１０の表示部３８に表示されたスケジュール表の一例を示す。スケジュール表は、１日のスケジュールを表し、移動予定情報を表す画像１００と、第１予定情報を表す第１画像１０２とを含む。これらの画像は、時間軸に沿って表示される。
【００２６】
移動予定情報を表す画像１００は、出発地である自宅の出発予定日時の時刻が１０時であり、目的地である「ホテルＡＡ」への到着予定日時の時刻が１１時２０分であることを示す。所定の操作入力に応じて、非表示の移動手段、移動経路、料金も表示されうる。
【００２７】
第１予定情報を表す第１画像１０２は、予定日時の時刻が１２時１５分であり、終了日時の時刻が１５時であり、訪問予定場所が「テーマパークＢＢ」であり、予定内容も「テーマパークＢＢ」であることを示す。「テーマパークＢＢ」は、「ホテルＡＡ」の近くの施設であるとする。画像１００と第１画像１０２の間の空白は、予定の無い空き時間であることを示す。
【００２８】
図３のサーバ装置２０の記憶部７４は、施設の情報と、当該施設で利用可能なクーポンの情報とを対応付けて複数組記憶している。施設の情報は、施設名、場所などを含む。クーポンの情報は、施設で提供されるサービス内容、クーポンの利用可能な時間帯、端末装置１０に表示するためのクーポンの画像情報などを含む。クーポンの情報は適宜更新されうる。
【００２９】
処理部７２は、通信部７０から出力された第１予定情報の訪問予定期間の前または後の空き時間をリコメンドの対象期間とする。訪問予定期間の前後に移動予定情報があり空き時間がない場合、処理部７２は、訪問予定期間をリコメンドの対象期間とする。
【００３０】
処理部７２は、記憶部７４から、第１予定情報の訪問予定場所内または訪問予定場所の周辺の施設の情報と、リコメンドの対象期間において当該施設で利用可能なクーポンの情報とを含むリコメンド情報を１以上取得する。訪問予定場所の周辺とは、訪問予定場所を表す領域から所定距離内を表す。所定距離は、たとえば徒歩数分程度の距離でもよく、実験などにより適宜定めることができる。
【００３１】
処理部７２は、取得したリコメンド情報に優先順位を付ける。優先順位は、周知の技術を用いて設定でき、訪問予定場所の所定地点から施設までの距離が近い順に付けてもよいし、施設の評価順に付けてもよい。処理部７２は、優先順位を付けたリコメンド情報とリコメンドの対象期間を、通信部７０を介して端末装置１０に送信する。
【００３２】
図２の端末装置１０では、通信部３０がリコメンド情報とリコメンドの対象期間を受信すると、表示制御部５６は、スケジュール表のリコメンドの対象期間を表す位置に、リコメンドアイコンを表示部３８に表示させる。
【００３３】
図５は、図４のスケジュール表においてリコメンドアイコンが表示された一例を示す。スケジュール表は、図４に加え、「昼食リコメンド」を表すリコメンドアイコン１０４をさらに含む。リコメンドアイコン１０４は、リコメンドの対象期間が１１時２５分から１２時１０分の間であることを示す。図４における第１予定情報の訪問予定期間の前の空き時間が、リコメンドの対象期間である。
【００３４】
リコメンドアイコン１０４が表示された状態でユーザが第１予定情報を変更すると、図２の表示制御部５６は、リコメンドアイコン１０４を表示部３８に消去させ、通信部３０は変更後の第１予定情報をサーバ装置２０に送信する。サーバ装置２０は、変更後の第１予定情報にもとづく新たなリコメンド情報を端末装置１０に送信する。表示制御部５６は、新たなリコメンド情報にもとづくリコメンドアイコン１０４を表示部３８に表示させる。これにより最新の第１予定情報に適したリコメンド情報を提供できる。
【００３５】
受付部３６がユーザによるリコメンドアイコン１０４の選択操作を受け付けると、表示制御部５６は、優先順位にしたがいリコメンド情報のリストを表示部３８に表示させる。選択操作は、たとえばタップである。
【００３６】
図６は、図５のリコメンドアイコン１０４がタップされた場合に表示されるリコメンド情報のリストの一例を示す。リストの各リコメンド情報は、「カフェＡＢＣ」などの施設名、「コーヒー１杯無料」などのクーポン情報、施設の場所、スケジュール登録アイコン１１０、予約アイコン１１２、地図表示アイコン１１４などを含む。スケジュール登録アイコン１１０の選択操作により、対応する施設の訪問をスケジュール表に登録できる。予約アイコン１１２の選択操作により、対応する施設の予約を実行できる。地図表示アイコン１１４の選択操作により、対応する施設周辺の地図を表示できる。
【００３７】
図２の受付部３６がユーザによる訪問を希望する施設のスケジュール登録アイコン１１０の選択操作を受け付けると、この施設の訪問予定期間の入力画面（図示しない）が表示部３８に表示される。受付部３６は、ユーザによる入力画面への訪問予定期間の入力を受け付ける。受付部３６は、リコメンドの対象期間内の訪問予定期間を受け付け、リコメンドの対象期間外の訪問予定期間は受け付けない。リコメンドの対象期間外ではクーポンが利用不可能である可能性があるためである。
【００３８】
第３取得部５４は、受付部３６が選択操作を受け付けたスケジュール登録アイコン１１０の施設の情報と、受付部３６が受け付けた訪問予定期間とを取得する。これは、第３取得部５４が、ユーザから、リコメンド情報のいずれかに含まれる施設の情報と、当該施設の訪問予定期間とを含む第２予定情報を取得することに相当する。
【００３９】
表示制御部５６は、第１予定情報と第２予定情報とを含むスケジュール表を表示部３８に表示させる。
【００４０】
図７は、図５のスケジュール表において第２予定情報が登録された一例を示す。スケジュール表は、図６のリコメンドアイコン１０４に替えて、第２予定情報を表す第２画像１２０を含む。第２画像１２０は、訪問予定期間の始点の時刻が１１時２５分であり、終点の時刻が１２時１０分であり、訪問予定の施設が「カフェＡＢＣ」であり、予定内容が「カフェＡＢＣで昼食」であることを示す。
【００４１】
図２の第２提供部６０は、第３取得部５４が第２予定情報を取得した場合、当該第２予定情報の施設の訪問予定期間の始点（つまり訪問予定日時）の情報を、サーバ装置２０を介して当該施設の端末装置１２に提供する。この処理は施設の予約ではないが、施設では、来客の可能性のある日時を事前に把握でき、準備などに活用できる。ユーザはスケジュール表に第２予定情報を登録しているので、単に携帯機器にクーポンをダウンロードするだけの既存技術よりも施設を訪問する確率が高い。そのため、提供される訪問予定期間の始点の情報は、施設にとって有用になりやすい。
【００４２】
ユーザは、訪問予定の日にスケジュール表を確認して施設を訪れ、スケジュール表の第２予定情報をタップする。表示制御部５６は、ＧＰＳ受信部４０で取得された現在位置が施設の位置を示し、現在日時が訪問予定日であれば、受付部３６が受け付けたスケジュール表の第２予定情報の選択操作に応じて、当該第２予定情報の施設のクーポンを表示部３８に表示させる。訪問予定の当日のスケジュール表の第２予定情報をタップすることでクーポンが表示されるので、タップすべき位置を容易に把握でき、表示すべきクーポンを探す必要がなく、ユーザにとってクーポンの使い勝手がよい。
【００４３】
図８は、表示部３８に表示されたクーポンの一例を示す。クーポンは、施設のリーダで読み取る形態の情報コード１３０を含む。情報コード１３０はクーポンを一意に識別するためのものであれば何でもよく、２次元コードであってもよいし、１次元コードであってよい。１次元コードの情報コード１３０の例はバーコードであり、２次元コードの情報コード１３０の例はＱＲコード（登録商標）である。
【００４４】
図２の第１提供部５８は、表示制御部５６がクーポンを表示部３８に表示させた場合、当該クーポンが表示されたことを示す情報を、通信部３０を介してサーバ装置２０に提供する。クーポンが表示された場合、ユーザは訪問予定日に施設を訪れているので、クーポンが利用されたとみなすことができる。なお、施設の端末装置１２が、施設のリーダでクーポンを読み取った場合、クーポンが利用されたことを示す情報をサーバ装置２０に送信してもよい。
【００４５】
図３のサーバ装置２０の処理部７２は、送信されたクーポンが表示されたことを示す情報にもとづいて、第２予定情報を登録したユーザのうち、どれ位の割合のユーザがクーポンを利用したか施設毎に集計する。この割合は、単にクーポンをダウンロードするだけの既存技術より高い値、たとえば数十％などになることが想定される。この集計情報は、施設に提供してもよいし、クーポンを提供する施設を新たに獲得するために用いてもよい。
【００４６】
次に、スケジュール表において第１予定情報の訪問予定期間の前に移動予定情報があり空き時間がない例を説明する。
図９は、リコメンドアイコンが表示されたスケジュール表の別の例を示す。スケジュール表は、図４に加え、移動予定情報を表す画像１０８を含む。第１予定情報も図４とは異なる。移動予定情報を表す画像１０８は、「ホテルＡＡ」の出発予定日時の時刻が１１時２５分であり、地域名を表す「なんば」への到着予定日時の時刻が１２時１０分であることを示す。
【００４７】
第１予定情報を表す第１画像１０２は、訪問予定場所が「なんば」であり、予定内容は「大阪観光」であることを示す。この例のように訪問予定場所は地域でもよい。訪問予定期間は、図４と同じである。図示は省略するが、第１予定情報の訪問予定期間の後にも移動予定情報があるとする。
【００４８】
図３のサーバ装置２０の処理部７２は、第１予定情報の訪問予定期間の前または後に空き時間がないため、訪問予定期間をリコメンドの対象期間とする。そのため、リコメンドアイコン１０６は、第１予定情報を表す第１画像１０２上に重ねて表示される。
【００４９】
この後、前述した処理と同様に、リコメンドアイコン１０６の選択操作に応じて表示されたリコメンド情報のリストから、第２予定情報が取得される。図９の例では、第２予定情報の訪問予定期間は、第１予定情報の訪問予定期間内のユーザが指定した期間になる。
【００５０】
第２予定情報の訪問予定期間が第１予定情報の訪問予定期間内である場合、図２の表示制御部５６は、第１予定情報を表す第１画像１０２に第２予定情報を表す第２画像が重なるように表示部３８に表示させる。表示制御部５６は、第１予定情報を表す第１画像１０２に第２予定情報を表す第２画像を割り込ませるように表示部３８に表示させるということもできる。
【００５１】
図１０は、図９のスケジュール表において第２予定情報が登録された例を示す。スケジュール表は、第１予定情報を表す第１画像１０２に重ねて表示された第２予定情報を表す第２画像１２２をさらに含む。第２画像１２２は、訪問予定期間の始点の時刻が１３時２０分であり、終点の時刻が１４時であり、訪問予定の施設が「カフェＤＤ」であり、予定内容が「カフェＤＤ」であることを示す。このようにユーザの希望に応じて既存の第１予定情報に重ねて第２予定情報を容易に追加できる。この後は、前述の処理が実行される。
【００５２】
以上の構成による端末装置１０の全体的な動作を説明する。図１１は、図２の端末装置１０における処理部３２の処理を示すフローチャートである。第１取得部５０は、ユーザから、訪問予定場所と訪問予定期間とを含む第１予定情報を取得する（Ｓ１０）。第２取得部５２はリコメンド情報を１以上取得する（Ｓ１２）。第３取得部５４は、ユーザから、リコメンド情報のいずれかに含まれる施設の情報と、当該施設の訪問予定期間とを含む第２予定情報を取得する（Ｓ１４）。表示制御部５６は、第１予定情報と第２予定情報とを含むスケジュール表を表示させる（Ｓ１６）。スケジュール表の第２予定情報の選択操作があれば（Ｓ１８のＹ）、表示制御部５６は、第２予定情報の施設のクーポンを表示させ（Ｓ２０）、処理を終了する。第２予定情報の選択操作がなければ（Ｓ１８のＮ）、ステップＳ１８に戻る。
【００５３】
本実施の形態によれば、スケジュール表の第２予定情報の選択操作に応じて第２予定情報の施設のクーポンを表示させるので、所望のクーポンを表示させるための操作が分かりやすく、クーポンを使いやすくできる。
【００５４】
以上、実施の形態をもとに本発明を説明した。実施の形態はあくまでも例示であり、各構成要素や各処理プロセスの組合せにいろいろな変形例が可能なこと、またそうした変形例も本発明の範囲にあることは当業者に理解されるところである。
【符号の説明】
【００５５】
１…情報処理システム、１０，１２…端末装置、２０…サーバ装置、３８…表示部、５０…第１取得部、５２…第２取得部、５４…第３取得部、５６…表示制御部、５８…第１提供部、６０…第２提供部。
【図１】
2020042352.tif 000003
【図２】
2020042352.tif 000004
【図３】
2020042352.tif 000005
【図４】
2020042352.tif 000006
【図５】
2020042352.tif 000007
【図６】
2020042352.tif 000008
【図７】
2020042352.tif 000009
【図８】
2020042352.tif 000010
【図９】
2020042352.tif 000011
【図１０】
2020042352.tif 000012
【図１１】
2020042352.tif 000013